(57)【要約】【課題】視覚障碍者でも操作ボタンの位置認識ができる洗濯機を提供すること。【解決手段】設定ボタン部に指で触れることによって操作が可能なタッチパネル部２を有する操作表示部３１と、操作表示部３１の内方に設けられた制御装置２０と、洗い、すすぎ、脱水などの各行程を逐次制御する制御手段とを備え、制御手段は、タッチパネル部２の設定ボタン部に指で触れた時に、制御装置２０に設けられた振動装置３を動作させ、タッチパネル部２へ振動を伝達する構成とすることにより、視覚障碍者や視力が衰えた高齢者も問題なく洗濯機の操作設定をすることが出来る。【選択図】図２
2017093766.tif 000002
【特許請求の範囲】
【請求項１】
洗濯兼脱水槽と、筺体内部に防振支持され、前記洗濯兼脱水槽を回転自在に内包する外槽と、前記洗濯兼脱水槽等を回転駆動するモータと、前記筺体前部に設けられ、設定ボタン部に指で触れることによって操作が可能なタッチパネル部を有する操作表示部と、前記操作表示部の内方に設けられた制御装置と、制御装置に設けられ、前記モータなどを制御して、洗い、すすぎ、脱水などの各行程を逐次制御する制御手段とを備え、前記制御手段は、前記タッチパネル部の前記設定ボタン部に指で触れた時に、前記制御装置に設けられた振動装置を動作させ、前記タッチパネル部へ振動を伝達する洗濯機。
【請求項２】
前記制御手段は、前記タッチパネル部の設定ボタン部に指で触れた時に、前記設定ボタン部の領域によって振動に強弱を設けて変化させて、前記タッチパネル部へ振動を伝達する請求項１に記載の洗濯機。
【請求項３】
前記制御手段は、前記タッチパネル部の設定ボタン部に指で触れた時に、前記振動装置に代えて前記制御装置に設けられた送風装置を動作させ、前記タッチパネル部へ風圧を伝達する請求項１に記載の洗濯機。
【請求項４】
前記制御手段は、前記タッチパネル部の設定ボタン部に指で触れた時に、前記振動装置に代えて前記制御装置に設けられた発熱装置を動作させ、前記タッチパネル部へ熱を伝達する請求項１に記載の洗濯機。
【発明の詳細な説明】
【技術分野】
【０００１】
本発明は、洗い、すすぎ、脱水行程を自動制御して行なう洗濯機に関するものである。
【背景技術】
【０００２】
従来、この種の洗濯機においては、操作表示部に、指が触れることによって操作が行われるタッチパネル方式を採用した構成が提案されている（例えば、特許文献１参照）。
【０００３】
図９（ａ）、（ｂ）、（ｃ）は、特許文献１に記載された従来の洗濯機の操作表示部の液晶パネルの画面例を示す図である。
【０００４】
図９において、図９（ａ）は洗濯コース設定画面であり、洗濯タッチボタン５６ａをタッチした後、おまかせタッチボタン５７ａをタッチ操作することで、図９（ｂ）の表示へ切り替わる。
【０００５】
図９（ｂ）の画面上下方向における略中央には、各行程時間を示すタッチボタンが設定ボタンとして配置され、画面左側から順に、洗い時間を示す洗いタッチボタン５９ａ、すすぎ回数を示すすすぎタッチボタン５９ｂ、脱水時間を示す脱水タッチボタン５９ｃが配置されている。
【０００６】
洗い時間を変更するために洗いタッチボタン５９ａをタッチ操作すると、図９（ｃ）の表示へ切り替わる。使用者は、洗いスライドボタン６１を左右方向に動かすことで、洗い時間が変更でき、決定ボタン６２を押すことで変更した洗い時間を確定させる。
【０００７】
以上のように、必要に応じて、順次、各ボタンをタッチ操作していくことで、運転コースを使用者の好みの内容に設定することができる。
【先行技術文献】
【特許文献】
【０００８】
【特許文献１】特開２０１４−１４５８７号公報
【発明の概要】
【発明が解決しようとする課題】
【０００９】
しかしながら、前記従来の構成では、視覚健常者には問題ないが、視覚障碍者にとっては操作することが困難であるという課題があった。
【００１０】
本発明は、前記従来の課題を解決するもので、操作表示部のタッチパネルに、触れた際に振動を発するなどの刺激手段を設けることで、視覚障碍者や視力が衰えた高齢者も問題なく操作設定が出来るというユニバーサルデザイン性を向上させた洗濯機を提供することを目的とする。
【課題を解決するための手段】
【００１１】
前記従来の課題を解決するために、本発明の洗濯機は、洗濯兼脱水槽と、筺体内部に防振支持され、前記洗濯兼脱水槽を回転自在に内包する外槽と、前記洗濯兼脱水槽等を回転駆動するモータと、前記筺体の前部に設けられ、設定ボタン部に指で触れることによって操作が可能なタッチパネル部を有する操作表示部と、前記操作表示部の内方に設けられた制御装置と、前記制御装置に設けられ、前記モータなどを制御して、洗い、すすぎ、脱水などの各行程を逐次制御する制御手段とを備え、前記制御手段は、前記タッチパネル部の
前記設定ボタン部に指で触れた時に、前記制御装置に設けられた振動装置を動作させ、前記タッチパネル部へ振動を伝達する構成としたものである。
【００１２】
これによって、視覚障碍者や視力が衰えた高齢者も問題なく洗濯機の操作設定をすることが出来る。
【発明の効果】
【００１３】
本発明の洗濯機は、操作表示部のタッチパネルに、触れた際に振動を発するなどの刺激手段を設けることで、視覚障碍者や視力が衰えた高齢者も問題なく操作設定が出来る。
【図面の簡単な説明】
【００１４】
【図１】本発明の第１の実施の形態における洗濯機の縦断面図
【図２】同洗濯機の制御装置要部の模式的な断面図
【図３】同洗濯機の制御装置の液晶パネルに表示される画面例を示す図
【図４】同洗濯機の制御装置の液晶パネルに表示される模式的な振動装置の強弱範囲を示す図
【図５】本発明の第２の実施の形態における洗濯機の制御装置要部の模式的な断面図
【図６】同洗濯機の制御装置の表示フィルムに表示される画面例を示す図
【図７】本発明の第３の実施の形態における洗濯機の制御装置要部の模式的な分解斜視図
【図８】本発明の第４の実施の形態における洗濯機の制御装置要部の模式的な断面図
【図９】従来の洗濯機の操作表示部の液晶パネルの画面例を示す図
【発明を実施するための形態】
【００１５】
第１の発明は、洗濯兼脱水槽と、筺体内部に防振支持され、前記洗濯兼脱水槽を回転自在に内包する外槽と、前記洗濯兼脱水槽等を回転駆動するモータと、前記筺体前部に設けられ、設定ボタン部に指で触れることによって操作が可能なタッチパネル部を有する操作表示部と、前記操作表示部の内方に設けられた制御装置と、制御装置に設けられ、前記モータなどを制御して、洗い、すすぎ、脱水などの各行程を逐次制御する制御手段とを備え、前記制御手段は、前記タッチパネル部の前記設定ボタン部に指で触れた時に、前記制御装置に設けられた振動装置を動作させ、前記タッチパネル部へ振動を伝達する構成とすることにより、視覚障碍者や視力が衰えた高齢者も問題なく洗濯機の操作設定をすることが出来る。
【００１６】
第２の発明は、特に、第１の発明の制御手段は、前記タッチパネル部の前記設定ボタン部に指で触れた時に、前記設定ボタン部の領域によって振動に強弱を設けて変化させて、前記タッチパネル部へ振動を伝達する構成とすることにより、視覚障碍者や視力が衰えた高齢者も問題なく洗濯機の操作設定をすることが出来る。
【００１７】
第３の発明は、特に、第１の発明の制御手段は、前記タッチパネル部の前記設定ボタン部に指で触れた時に、前記振動装置に代えて前記制御装置に設けられた送風装置を動作させ、前記タッチパネル部へ風圧を伝達する構成とすることにより、視覚障碍者や視力が衰えた高齢者も問題なく洗濯機の操作設定をすることが出来る。
【００１８】
第４の発明は、特に、第１の発明の制御手段は、前記タッチパネル部の前記設定ボタン部に指で触れた時に、前記振動装置に代えて前記制御装置に設けられた発熱装置を動作させ、前記タッチパネル部へ熱を伝達する構成とすることにより、視覚障碍者や視力が衰えた高齢者も問題なく洗濯機の操作設定をすることが出来る。
【００１９】
以下、本発明の実施の形態について、図面を参照しながら説明する。なお、この実施の
形態によって本発明が限定されるものではない。
【００２０】
（実施の形態１）
図１は、本発明の第１の実施の形態における洗濯機の縦断面図である。
【００２１】
図１において、筺体２１は，内部に複数のサスペンション２２によって外槽２３を懸垂防振支持している。洗濯・脱水軸２４は中空で２軸構造としている。洗濯兼脱水槽３２は側壁に多数の脱水孔（図示せず）を有するとともに、内周の上部に振動低減用の流体バランサ２６を有し、中央底部には衣類攪拌用のパルセータ２７が配設されている。
【００２２】
筺体２１の上部には、上部枠体３０を設け、上部枠体３０の前部には、各種の入力設定を行ない、設定内容や進行状況などを表示する操作表示部３１を配設している。そして、操作表示部３１の内方には、モータ２９等を制御し、洗い，すすぎ，脱水の一連の行程を逐次制御する制御手段（図示せず）を有する制御装置２０が収設されている。
【００２３】
伝達機構部２８は、内部に洗濯時の減速ギア（図示せず）を内蔵している。制御装置２０によりインバータ駆動させるモータ２９は外槽２３の外底部に取り付けられ，伝達機構部２８を介し，パルセータ２７，及び洗濯兼脱水槽３２を回転させる。
【００２４】
図２は、本発明の第１の実施の形態における洗濯機の制御装置要部の模式的な断面図、図３は、同洗濯機の制御装置の液晶パネルに表示される画面例を示す図、図４は、同制御装置の液晶パネルに表示される模式的な振動装置の強弱範囲を示す図である。
【００２５】
図２において、洗い、すすぎ、脱水などの設定条件、ならびに設定ボタンを表示する液晶パネル１の上方に、液晶パネル１に重ねて配置された透明電極（図示せず）を有し、指が触れることによって操作が行われるタッチパネル部２が配置されている。液晶パネル１に表示された内容はタッチパネル部２上方から視認することができる。
【００２６】
また、液晶パネル１の下方には、偏心モータなどを用いて振動をタッチパネル部２に伝達できる振動装置３が配設されている。
【００２７】
そして、運転コース内容などを設定するために操作表示部３１から操作する際に、上方からタッチパネル部２の設定ボタン部にタッチすると、制御手段（図示せず）は振動装置３を動作させ、タッチした設定部分が振動して、設定部分を認識できるようになっている。
【００２８】
図３、図４において、液晶パネル１の洗濯タッチボタン４をタッチパネル部２からタッチすると、洗い、すすぎ、脱水の洗濯コースが設定でき、洗濯〜乾燥タッチボタン５をタッチパネル部２からタッチすると、洗濯から乾燥までのコースが設ａ定でき、乾燥タッチボタン６をタッチパネル部２からタッチすると、乾燥のみのコースが設定できる。
【００２９】
そして、設定する時に、振動が最も強くなるのが振動領域７であり、中間の強さが振動領域７ｂ、振動が最も弱くなるのが振動領域７ｃである。
【００３０】
これにより、タッチパネル部２上を指で触れることで、３つの操作ボタンの洗濯タッチボタン４、洗濯〜乾燥タッチボタン５、乾燥タッチボタン６の位置を認識することが出来る。
【００３１】
なお、本実施の形態では１つの振動装置を用いた場合を記載しているが、これに限るものではなく、設定ボタン毎に振動装置を配置しても良い。
【００３２】
また、本実施の形態において、振動装置３の強弱範囲について振動領域７ａ、７ｂ、７ｃの三段階としているが、これに限るものではない。多段階にすることや、変化させず操作ボタン上のみで振動することも有効な手段である。
【００３３】
また、本実施の形態では、設定ボタンを模式的に洗濯タッチボタン４、洗濯〜乾燥タッチボタン５、乾燥タッチボタン６の３種類を記載しているが、これに限るものではなく、操作内容により表示される設定ボタンに適応出来る。また設定ボタンに応じて振動範囲を変化させても良い。
【００３４】
また、本実施の形態では、縦型の洗濯機としているが、ドラム式洗濯機であっても良い。
【００３５】
（実施形態２）
図５は、本発明の第２の実施の形態における洗濯機の制御装置要部の模式的な断面図、図６は、同制御装置の表示フィルムに表示される画面例を示す図である。なお、第１の実施の形態とは、操作表示部、制御装置の構成が異なるのみであり、同じ構成、部位については、説明を省略する。
【００３６】
図５において、洗い、すすぎ、脱水などの設定条件内容などを記載した表示フィルム９の上方に、透明電極（図示せず）を有し、指が触れることによって操作が行われるタッチパネル部８が配置されている。
【００３７】
また、表示フィルム９の下部には樹脂ケース１０が設けられ、その下部にＬＥＤなどのバックライトを搭載した配線基板１１の上が設けられている。そして、配線基板１１には、偏心モータなどを用いて振動をタッチパネル部８に伝達できる振動装置１２が配設されている。
【００３８】
図６の画面例において、洗濯タッチボタン１３をタッチパネル部８からタッチすると、洗い、すすぎ、脱水の洗濯コースが設定でき、洗濯〜乾燥タッチボタン１４をタッチパネル部８からタッチすると、洗濯から乾燥までのコースが設定でき、乾燥タッチボタン１５をタッチパネル部８からタッチすると、乾燥のみのコースが設定できる。
【００３９】
そして、運転コース内容などを設定するために操作表示部３１から操作する際に、上方からタッチパネル部８の設定ボタン部にタッチすると、制御手段（図示せず）は振動装置１２を動作させ、タッチした設定ボタン部分が振動して、設定ボタン部分の位置を認識することができる。
【００４０】
なお、本実施の形態では１つの振動装置を用いた場合を記載しているが、これに限るものではなく、設定ボタン毎に振動装置を配置しても良い。
【００４１】
（実施形態３）
図７は、本発明の第３の実施の形態における洗濯機の制御装置要部の模式的な分解斜視図である。なお、第１の実施の形態とは、操作表示部、制御装置の構成が異なるのみであり、同じ構成、部位については、説明を省略する。
【００４２】
図７において、洗い、すすぎ、脱水などの設定条件内容などを記載した表示フィルム９の上方に、透明電極（図示せず）を有し、指が触れることによって操作が行われるタッチパネル部８が配置されている。
【００４３】
表示フィルム９の下方には、表示フィルム９側の平面部に複数の通風口１７ａを設けた樹脂ケース１７が配設され、樹脂ケース１７にはファンモータなどの送風装置１６が設けられている。複数の通風口１７ａは、洗い、すすぎ、脱水などの設定を行なう各設定ボタン部の下方に開けられている。
【００４４】
そして、運転コース内容などを設定するために操作表示部３１から操作する際に、上方からタッチパネル部８にタッチすると、制御手段（図示せず）は送風装置１６を動作させ、タッチした設定ボタン部下方の通風口１７ａから送風する。これにより、使用者はタッチパネル部８にて送風の風圧を感じることができるので、設定ボタンの位置を認識することができる。
【００４５】
なお、本実施の形態では１つの送風装置を用いた場合を記載しているが、これに限るものではなく、設定ボタン毎に送風装置を配置しても良い。
【００４６】
（実施形態４）
図８は、本発明の第４の実施の形態における洗濯機の制御装置要部の模式的な断面図である。なお、第２の実施の形態とは、制御装置の構成が一部異なるのみであり、同じ構成、部位については、説明を省略する。
【００４７】
図８において、表示フィルム９と樹脂ケース１０の間には、フィルムヒータなどの発熱装置１８が、設定ボタンの下方に複数個配設されている。
【００４８】
そして、運転コース内容などを設定するために操作表示部３１から操作する際に、上方からタッチパネル部８の設定ボタン部にタッチすると、制御手段（図示せず）は発熱装置１８を動作させ、タッチした設定ボタン部分が発熱して、設定ボタン部分の位置を認識することが出来る。
【産業上の利用可能性】
【００４９】
以上のように、本発明にかかる洗濯機は、操作表示部のタッチパネル部に、触れた際に振動を発するなどの刺激手段を設けることで、視覚障碍者も問題なく操作設定が出来るので、タッチパネル部を有する他のドラム式洗濯機を始めとする電化機器の用途に適用できる。
【符号の説明】
【００５０】
２  タッチパネル部
３  振動装置
８  タッチパネル部
１２  振動装置
１６  送風装置
１８  発熱装置
２０  制御装置
２１  筺体
２３  外槽
２７  パルセータ
２９  モータ
３０  上部枠体
３１  操作表示部
３２  洗濯兼脱水槽
【図１】
2017093766.tif 000003
【図２】
2017093766.tif 000004
【図３】
2017093766.tif 000005
【図４】
2017093766.tif 000006
【図５】
2017093766.tif 000007
【図６】
2017093766.tif 000008
【図７】
2017093766.tif 000009
【図８】
2017093766.tif 000010
【図９】
2017093766.tif 000011